(57)【要約】【課題】データ送信装置で記録中のストリームデータをデータ受信再生装置が取得して再生制御するような場合に、データ送信装置、データ受信再生装置に無用な負荷をかけずに、データ送信装置で記録中のストリームデータをデータ受信再生装置が特殊再生することが可能なデータ受信再生装置、データ受信再生方法、及びデータ受信再生システムを提供する。【解決手段】データ受信再生装置２は、再生開始可能位置情報が格納された管理情報の更新周期を取得する管理情報更新周期取得部と、更新周期に基づく時間間隔ごとに管理情報を再度要求し、管理情報を取得する管理情報取得部と、管理情報に示された再生開始可能位置情報からユーザの指示に応じて再生開始可能位置を選択する再生開始位置選択部と、選択された再生開始可能位置からのストリームデータの送信をデータ送信装置１に対して要求するストリームデータ送信要求部とを有する制御部２０１を備える。【選択図】図１
2008301375.tif 000002
【特許請求の範囲】
【請求項１】
音声および画像のうち少なくとも一方を含むストリームデータを受信して再生するデータ受信再生装置であって、
前記ストリームデータにおける途中から再生することが可能な位置を示す再生開始可能位置情報が格納された管理情報の更新周期を送信側装置から取得する管理情報更新周期取得手段と、
前記管理情報を前記送信側装置に要求し、前記送信側装置から前記管理情報を受信するとともに、前記管理情報更新周期取得手段により取得された前記更新周期に基づく時間間隔ごとに、前記管理情報を前記送信側装置に再度要求し、前記送信側装置から前記管理情報を取得する管理情報取得手段と、
取得された前記管理情報に格納された前記再生開始可能位置情報から外部の指示に応じて再生開始可能位置を選択する再生開始位置選択手段と、
選択された前記再生開始可能位置からのストリームデータの送信を前記送信側装置に要求するストリームデータ送信要求手段と、
前記再生開始可能位置から送信されたストリームデータを受信するストリームデータ受信手段と、
受信された前記ストリームデータを再生する再生手段とを備える
ことを特徴とするデータ受信再生装置。
【請求項２】
前記データ受信再生装置は、さらに、
前記管理情報更新周期取得手段により取得された前記更新周期を、前記送信側装置の機器に対応付けて記憶する管理情報更新周期記憶手段を備える
ことを特徴とする請求項１記載のデータ受信再生装置。
【請求項３】
前記管理情報更新周期取得手段は、前記更新周期を前記送信側装置に要求する
ことを特徴とする請求項１記載のデータ受信再生装置。
【請求項４】
前記管理情報更新周期取得手段は、前記管理情報から当該管理情報に含まれる前記更新周期を取得する
ことを特徴とする請求項１記載のデータ受信再生装置。
【請求項５】
前記管理情報取得手段は、前記管理情報更新周期取得手段により取得された前記更新周期と同じ時間間隔ごとに、前記管理情報を前記送信側装置に再度要求し、前記送信側装置から前記管理情報を取得する
ことを特徴とする請求項１記載のデータ受信再生装置。
【請求項６】
前記管理情報取得手段は、前記管理情報更新周期取得手段により取得された前記更新周期以上の時間間隔で、かつ、前記再生手段における現在の再生動作において取得済の前記管理情報に示される終端位置に到達するまでの時間が、予め設定されている所定時間以下である場合に、前記管理情報を前記送信側装置に再度要求し、前記送信側装置から前記管理情報を取得する
ことを特徴とする請求項１記載のデータ受信再生装置。
【請求項７】
前記管理情報取得手段は、再度取得した前記管理情報に変化がない場合に、前記送信側装置への前記管理情報の再度の要求を中止する
ことを特徴とする請求項１記載のデータ受信再生装置。
【請求項８】
前記管理情報更新周期取得手段は、前記管理情報から当該管理情報の更新が終了されたことを示す情報を取得し、
前記管理情報取得手段は、前記管理情報更新周期取得手段により前記管理情報の更新が終了されたことを示す情報が取得された場合に、前記送信側装置への前記管理情報の再度の要求を中止する
ことを特徴とする請求項１記載のデータ受信再生装置。
【請求項９】
前記再生開始可能位置情報が、ＭＰＥＧ（Moving Picture Experts Group）におけるＧＯＰ（Group of Picture）の先頭位置を示す情報と、前記ＧＯＰの先頭位置にあるＩ（Intra ）ピクチャのサイズとである
ことを特徴とする請求項１記載のデータ受信再生装置。
【請求項１０】
音声および画像のうち少なくとも一方を含むストリームデータを受信して再生するデータ受信再生方法であって、
前記ストリームデータにおける途中から再生することが可能な位置を示す再生開始可能位置情報が格納された管理情報の更新周期を送信側装置から取得する管理情報更新周期取得ステップと、
前記管理情報を送信側装置に要求し、前記送信側装置から前記管理情報を受信するとともに、前記管理情報更新周期取得ステップにより取得された前記更新周期に基づく時間間隔ごとに、前記管理情報を前記送信側装置に再度要求し、前記送信側装置から前記管理情報を取得する管理情報取得ステップと、
取得された前記管理情報に格納された前記再生開始可能位置情報から外部の指示に応じて再生開始可能位置を選択する再生開始位置選択ステップと、
選択された前記再生開始可能位置からのストリームデータの送信を前記送信側装置に要求するストリームデータ送信要求ステップと、
前記再生開始可能位置から送信されたストリームデータを受信するストリームデータ受信ステップと、
受信された前記ストリームデータを再生する再生ステップとを含む
ことを特徴とするデータ受信再生方法。
【請求項１１】
音声および画像のうち少なくとも一方を含むストリームデータを送信するデータ送信装置と前記ストリームデータを受信して再生するデータ受信再生装置を有するデータ受信再生システムであって、
前記データ受信再生装置が、
前記ストリームデータにおける途中から再生することが可能な位置を示す再生開始可能位置情報が格納された管理情報の更新周期を前記データ送信装置から取得する管理情報更新周期取得手段と、
前記管理情報を前記データ送信装置に要求し、前記データ送信装置から前記管理情報を受信するとともに、前記管理情報更新周期取得手段により取得された前記更新周期に基づく時間間隔ごとに、前記管理情報を前記データ送信装置に再度要求し、前記データ送信装置から前記管理情報を取得する管理情報取得手段と、
取得された前記管理情報に格納された前記再生開始可能位置情報から外部の指示に応じて再生開始可能位置を選択する再生開始位置選択手段と、
選択された前記再生開始可能位置からのストリームデータの送信を前記データ送信装置に要求するストリームデータ送信要求手段と、
前記再生開始可能位置から送信されたストリームデータを受信するストリームデータ受信手段と、
受信された前記ストリームデータを再生する再生手段とを備え、
前記データ送信装置が、
記憶手段と、
前記ストリームデータを前記記憶手段に記録するストリームデータ記録手段と、
ストリームデータ記録時に前記ストリームデータにおける再生開始可能位置情報を格納した管理情報を前記記憶手段に周期的に記録更新する管理情報記録手段と、
前記管理情報の更新周期を前記データ受信再生装置に通知する管理情報更新周期通知手段と、
前記管理情報を前記データ受信再生装置に送信する管理情報送信手段と、
前記データ受信再生装置から指定された位置からストリームデータを前記記憶手段から読み出し、前記データ受信再生装置に送信するストリーム送信手段とを備える
ことを特徴とするデータ受信再生システム。
【発明の詳細な説明】
【技術分野】
【０００１】
本発明は、ネットワークを介して音声、画像（動画）等のデータを送信、受信再生する装置、方法、システムに関する。
【背景技術】
【０００２】
データ送信装置に記録された音声、画像（動画）を、データ受信再生装置が途中から再生したり、早送り再生したり等、音声、画像（動画）に有用な再生制御を実現する方法が、例えば特許文献１により開示されている。
【０００３】
特許文献１の技術を元に、データ送信装置に記録された音声、画像（動画）等のストリームデータを、データ受信再生装置が再生制御する方法を、図１０を用いて説明する。特許文献１では、通信システムはデータ送信装置７とデータ受信再生装置８とから構成されている。この通信システムにおいてデータ送信装置７、データ受信再生装置８は、図１０に示すように動作する。
【０００４】
データ受信再生装置８は、ストリームデータの取得に先立ち、ストリームデータの途中から再生することが可能な位置を示す再生開始可能位置情報を格納した管理情報の取得要求をデータ送信装置７に行い、データ送信装置７は管理情報をデータ受信再生装置８に送信する。データ受信再生装置８は、受信した管理情報に基づいて、利用者の再生制御要求に応じたデータの取得要求を、データ送信装置７に対して行う。利用者から早送り等の特殊再生の要求がある場合、はじめに、再生開始可能位置１から再生開始可能位置２までのデータの取得・再生を行い、続いて再生開始可能位置３から再生開始可能位置４までのデータの取得・再生を行う。順次これを繰り返すことにより特殊再生を実現する。さらに、高速な早送りが要求された場合、はじめに、再生開始可能位置１から再生開始可能位置２までのデータを、続いて再生開始可能位置５から再生開始可能位置６までのデータの取得・再生を行う。すなわち、取得データのスキップ量を制御して、さまざまな速度の特殊再生を実現することが可能となる。取得するデータがストリームデータの途中であっても、取得した管理情報に示された再生開始可能位置から取得することにより、ストリームデータを再生することが可能となる。
【特許文献１】特開２００１−２４２８７６号公報
【発明の開示】
【発明が解決しようとする課題】
【０００５】
しかしながら、例えば、データ送信装置７で記録中のストリームデータをデータ受信再生装置８が取得して、再生するような場合、ストリームデータの取得に先立ち管理情報を取得するだけでは、逐次記録されていくストリームデータと併せて記録されていく管理情報を取得しないため、逐次記録されてストリームデータに対する再生制御が困難であるという問題がある。すなわち、データ送信装置７で記録中のストリームデータをデータ受信再生装置８が特殊再生をしても、取得済みの管理情報の範囲でしか特殊再生することができない。また、この問題を回避するために、例えばデータ受信再生装置８が、予め決められた周期等で、データ送信装置７から管理情報の取得を行うようにしても、データ送信装置７の管理情報の更新周期は装置毎に異なるため、データ送信装置７の管理情報の更新周期以上の間隔で、データ受信再生装置８が管理情報の取得を行った場合、十分に追いつくことができないという問題が発生する。また、データ受信再生装置８がデータ送信装置７の管理情報更新周期より短い間隔で、管理情報の取得を行った場合、管理情報が更新されておらず、データ送信装置７、データ受信再生装置８に無用に負荷をかけてしまうと共にネットワークのトラフィックを増加させてしまう等の問題が発生する。
【０００６】
本発明は、上記問題に鑑みてなされたものであり、データ送信装置で記録中のストリームデータをデータ受信再生装置が取得して再生制御するような場合に、データ送信装置、データ受信再生装置に無用な負荷をかけずに、データ送信装置で記録中のストリームデータをデータ受信再生装置が特殊再生することが可能なデータ受信再生装置、データ受信再生方法、及びデータ受信再生システムを提供することを目的とする。
【課題を解決するための手段】
【０００７】
上記目的を達成するために、本発明のデータ受信再生装置は、音声および画像のうち少なくとも一方を含むストリームデータを受信して再生するデータ受信再生装置であって、前記ストリームデータにおける途中から再生することが可能な位置を示す再生開始可能位置情報が格納された管理情報の更新周期を送信側装置から取得する管理情報更新周期取得手段と、前記管理情報を前記送信側装置に要求し、前記送信側装置から前記管理情報を受信するとともに、前記管理情報更新周期取得手段により取得された前記更新周期に基づく時間間隔ごとに、前記管理情報を前記送信側装置に再度要求し、前記送信側装置から前記管理情報を取得する管理情報取得手段と、取得された前記管理情報に格納された前記再生開始可能位置情報から外部の指示に応じて再生開始可能位置を選択する再生開始位置選択手段と、選択された前記再生開始可能位置からのストリームデータの送信を前記送信側装置に要求するストリームデータ送信要求手段と、前記再生開始可能位置から送信されたストリームデータを受信するストリームデータ受信手段と、受信された前記ストリームデータを再生する再生手段とを備えることを特徴とする。
【０００８】
これにより、データ送信装置で記録中のストリームデータをデータ受信が取得して再生制御するような場合でも、データ送信装置、データ受信再生装置に無用な管理情報の取得要求に伴う負荷をかけることがない。また、データ送信装置の管理情報の更新に対応した、データ受信再生装置での管理情報取得が可能となるため、データ送信装置で記録中のストリームデータの特殊再生が可能となる。
【０００９】
また、前記データ受信再生装置は、さらに、前記管理情報更新周期取得手段により取得された前記更新周期を、前記送信側装置の機器に対応付けて記憶する管理情報更新周期記憶手段を備えてもよい。
【００１０】
これによって、毎回管理情報の更新周期を取得する必要がなく、データ送信装置およびデータ受信再生装置に無用な負荷をかけることがない。
【００１１】
また、前記管理情報更新周期取得手段は、前記更新周期を前記送信側装置に要求してもよい。また、前記管理情報更新周期取得手段は、前記管理情報から当該管理情報に含まれる前記更新周期を取得してもよい。前記管理情報取得手段は、前記管理情報更新周期取得手段により取得された前記更新周期と同じ時間間隔ごとに、前記管理情報を前記送信側装置に再度要求し、前記送信側装置から前記管理情報を取得してもよい。
【００１２】
これによって、管理情報の効率よく取得することができる。
また、前記管理情報取得手段は、前記管理情報更新周期取得手段により取得された前記更新周期以上の時間間隔で、かつ、前記再生手段における現在の再生動作において取得済の前記管理情報に示される終端位置に到達するまでの時間が、予め設定されている所定時間以下である場合に、前記管理情報を前記送信側装置に再度要求し、前記送信側装置から前記管理情報を取得してもよい。
【００１３】
これによって、管理情報を必要に応じて効率よく取得することができる。
また、前記管理情報取得手段は、再度取得した前記管理情報に変化がない場合に、前記送信側装置への前記管理情報の再度の要求を中止してもよい。
【００１４】
これによって、管理情報を必要に応じて効率よく取得することができる。
また、前記管理情報更新周期取得手段は、前記管理情報から当該管理情報の更新が終了されたことを示す情報を取得し、前記管理情報取得手段は、前記管理情報更新周期取得手段により前記管理情報の更新が終了されたことを示す情報が取得された場合に、前記送信側装置への前記管理情報の再度の要求を中止してもよい。
【００１５】
これによって、管理情報の更新が終了された場合に、不要な管理情報を取得することなく、データ送信装置およびデータ受信再生装置に無用な負荷をかけることがない。
【００１６】
また、前記再生開始可能位置情報が、ＭＰＥＧ（Moving Picture Experts Group）におけるＧＯＰ（Group of Picture）の先頭位置を示す情報と、前記ＧＯＰの先頭位置にあるＩ（Intra ）ピクチャのサイズとであってもよい。
【００１７】
これにより、データ受信再生装置でＩピクチャのみを取得した特殊再生が可能となり、特殊再生時のデータ受信量を低減することが可能となる。
【００１８】
なお、本発明は、このようなデータ受信再生装置として実現することができるだけでなく、このようなデータ受信再生装置が備える特徴的な手段をステップとするデータ受信再生方法として実現することもできる。
【００１９】
また、本発明は、このようなデータ受信再生装置として実現するだけでなく、記憶手段と、前記ストリームデータを前記記憶手段に記録するストリームデータ記録手段と、ストリームデータ記録時に前記ストリームデータにおける再生開始可能位置情報を格納した管理情報を前記記憶手段に周期的に更新記録する管理情報記録手段と、前記管理情報の更新周期を前記データ受信再生装置に通知する管理情報更新周期通知手段と、前記管理情報を前記データ受信再生装置に送信する管理情報送信手段と、前記データ受信再生装置から指定された位置からストリームデータを前記記憶手段から読み出し、前記データ受信再生装置に送信するストリーム送信手段とを備えるデータ送信装置と組み合わせることで、データ受信再生システムとして実現することもできる。
【発明の効果】
【００２０】
本発明によれば、データ送信装置で記録中のストリームデータをデータ受信が取得して再生制御するような場合に、データ送信装置、データ受信再生装置に無用な負荷をかけずに、これを実現することが可能となる。また、データ送信装置の管理情報の更新に対応した、データ受信再生装置での管理情報取得が可能となるため、データ送信装置で記録中のストリームデータの特殊再生が可能となる。
【発明を実施するための最良の形態】
【００２１】
以下に、本発明の実施の形態を、図面を参照して説明する。
【００２２】
（実施の形態１）
以下、本発明の実施の形態１について、図１から図７を用いて説明する。
【００２３】
図１は、本発明の実施の形態１に係るデータ送信装置とデータ受信再生装置とを備えるデータ受信再生システムの具体構成の一例を示すブロック図である。図２は、データ受信再生システムが家庭において用いられた具体例を示す図である。図３は、実施の形態１の通信シーケンスを説明した図である。図４は、ストリームデータとストリームデータに対応する管理情報の一例を示す図である。図５は、ビデオストリームデータの構成の一例を示す図である。図６は、ストリームデータ取得要求の一例を示す図である。図７は、データ受信再生装置の処理フローの一例を示す図である。
【００２４】
図１に示すデータ受信再生システムでは、例えばＤＶＲ（Digital Video Recorder）、セットトップボックス（親機）、またはサーバ等であるデータ送信装置１と、例えばＴＶやセットトップボックス（子機）等であるデータ受信再生装置２とが、例えば家庭内のＬＡＮ（Local Area Network）やインターネット等であるネットワーク３を介して接続されている。例えば、図２に示すようにある部屋に設置されたデータ送信装置１と、別の部屋に設置されたデータ受信再生装置２とが、ネットワーク３を介して接続されるように用いられる。
【００２５】
データ送信装置１は、例えば放送等を受信して番組等のストリームデータ（コンテンツ）を記録するとともに、記録しているコンテンツをネットワーク３を介して他の装置に送信する装置であり、図１に示すように制御部１０１、バッファ部１０２、アンテナ１０３、放送受信部１０４、信号処理部１０５、送受信部１０６、一時記憶部１０７、不揮発メモリ１０８、操作入力部１０９、記録再生部１１０、および記録媒体１１１を備えている。
【００２６】
制御部１０１は、データ送信装置１全体を制御し、ＣＰＵによって構成されている。制御部１０１には、例えばＲＡＭ等の一時記憶部１０７、および例えばＲＯＭ、ＦＬＡＳＨメモリ等の不揮発メモリ１０８が接続されている。
【００２７】
放送を受信するためのアンテナ１０３が接続された放送受信部１０４は、例えばチューナであり、制御部１０１からの制御指令によって受信チャンネルの選択を行ない、その受信出力はバッファ部１０２を介して、制御部１０１によって制御される例えばデコーダ等の信号処理部１０５によりデコードされ出力される。
【００２８】
操作入力部１０９は、制御部１０１における制御動作の指令を与えるために設けられ、選局や記録動作の指令を与えるためと共に、予約録画等の動作の指令を与えることが可能である。
【００２９】
制御部１０１には、記録再生部１１０が接続されている。記録再生部１１０は、指定された番組等のコンテンツを記録媒体１１１に記録、または記録媒体１１１に記録されたコンテンツを再生する。また、記録時には制御部１０１からの要求により、コンテンツだけでなく、コンテンツのタイトル、記録時間、および対応するコンテンツが記録中であるかどうかを示す情報等のコンテンツ情報も併せて記録媒体１１１に記録する。
【００３０】
制御部１０１は、送受信部１０６を制御することにより、ネットワーク３で接続されたデータ受信再生装置２からの要求を受信する。
【００３１】
また、制御部１０１は、コンテンツ記録時に、コンテンツにおける途中から再生することが可能な位置を示す再生開始可能位置情報を格納した管理情報を記録媒体１１１に周期的に記録更新する管理情報記録部と、管理情報の更新周期をデータ受信再生装置２に通知する管理情報更新周期通知部と、管理情報をデータ受信再生装置２に送信する管理情報送信部とを備えている。
【００３２】
一方、データ受信再生装置２は、例えば放送等を受信するとともに、ネットワーク３を介して他の装置から送信されるコンテンツを受信して再生する装置であり、図１に示すように制御部２０１、バッファ部２０２、アンテナ２０３、放送受信部２０４、信号処理部２０５、送受信部２０６、一時記憶部２０７、不揮発メモリ２０８、操作入力部２０９、映像表示部２１０、および音声出力部２１１を備えている。
【００３３】
制御部２０１は、データ受信再生装置２全体を制御し、ＣＰＵによって構成されている。制御部２０１には、例えばＲＡＭ等の一時記憶部２０７、および例えばＲＯＭ、ＦＬＡＳＨメモリ等の不揮発メモリ２０８が接続されている。
【００３４】
放送を受信するためのアンテナ２０３が接続された放送受信部２０４は、例えばチューナであり、制御部２０１からの制御指令によって受信チャンネルの選択を行ない、その受信出力は受信バッファ部２０２を介して、制御部２０１によって制御される例えばデコーダ等の信号処理部２０５によりデコードされる。デコードされた音声信号が例えばスピーカ等の音声出力部２１１から出力され、映像信号が映像表示部２１０から出力される。
【００３５】
操作入力部２０９は、制御部２０１における制御動作の指令を与えるために設けられ、選局を行うための指令を与えることが可能である。
【００３６】
制御部２０１は、送受信部２０６を制御することにより、ネットワーク３で接続されたデータ送信装置１に対して要求を送信する共に、応答を受信する。
【００３７】
また、制御部２０１は、再生開始可能位置情報が格納された管理情報をデータ送信装置１に対して要求し、データ送信装置１から管理情報を取得する管理情報取得部と、管理情報の更新周期をデータ送信装置１に対して要求し、データ送信装置１から更新周期を取得する管理情報更新周期取得部と、管理情報に示された再生開始可能位置情報からユーザの指示に応じて再生開始可能位置を選択する再生開始位置選択部と、選択された再生開始可能位置からのストリームデータの送信をデータ送信装置１に対して要求するストリームデータ送信要求部とを備えている。また、管理情報取得部は、管理情報更新周期取得部により取得された更新周期と同じの時間間隔ごとに、管理情報をデータ送信装置１に対して再度要求し、データ送信装置１から管理情報を取得する。
【００３８】
次に、図３を参照し、本実施の形態における通信シーケンスを説明する。
ユーザから、操作入力部２０９を通じてデータ送信装置１のコンテンツ一覧取得要求を受信したデータ受信再生装置２の制御部２０１は（Ｓ１０１）、データ送信装置１に対してコンテンツ情報取得要求を送信する（Ｓ１０２）。要求を受信したデータ送信装置１の制御部１０１は、記録媒体１１１からコンテンツ情報を読み出すと共に、送受信部１０６を通じて読み出したコンテンツ情報をデータ受信再生装置２に送信する（Ｓ１０３）。データ受信再生装置２に送信されるコンテンツ情報には、コンテンツのタイトルや記録時間、対応するコンテンツが記録中であるかどうかを示す情報等、データ送信装置１の記録媒体１１１に記録されている情報に加えて、コンテンツの取得先情報、コンテンツの管理情報取得先情報等が含まれている。
【００３９】
ユーザからその後、特定のコンテンツを指定した再生要求が指示されると（Ｓ１０４）、データ受信再生装置２の制御部２０１は、ユーザにより指示されたコンテンツが記録中である場合には、管理情報更新周期情報取得要求をデータ送信装置１に送信する（Ｓ１０５）。管理情報更新周期取得要求を受信したデータ送信装置１の制御部１０１は、予め機器に登録されている更新周期情報を管理情報更新周期取得要求に対する応答としてデータ受信再生装置２に送信する（Ｓ１０６）。
【００４０】
その後、データ受信再生装置２の制御部２０１は、データ送信装置１に対して、管理情報取得要求を行う（Ｓ１０７）。データ送信装置１の制御部１０１は、既に記録媒体１１１に記録済みの管理情報を管理情報取得要求に対する応答として返送する（Ｓ１０８）。
【００４１】
データ受信再生装置２の制御部２０１は、送受信部２０６より受信した管理情報を一時記憶部２０７に保持する。図４（ａ）にコンテンツのストリームデータの一例と、図４（ｂ）に管理情報の一例を示す。図４（ｂ）に示すように管理情報６には、図４（ａ）に示すストリームデータ５に含まれる可変長のユニット毎の再生開始可能位置と再生データサイズ情報が含まれている。本実施の形態における再生開始可能位置と再生データサイズは、図５に示すように記録したストリームデータのうちのビデオストリームデータの各ＧＯＰ（Group of Picture）の先頭位置と、各ＧＯＰの先頭に含まれるＩピクチャのサイズに対応している。これらの管理情報は、データ送信装置１でストリームデータを記録媒体１１１に記録する際、併せて記録される。
【００４２】
管理情報を取得したデータ受信再生装置２は、ユーザにより指示された再生制御要求に応じて、データ送信装置１からストリームデータの取得を行う。図６に再生制御に応じたストリームデータの取得の一例を示す。図６に示す例では、ユーザからの再生制御指示が通常再生の場合、データ受信再生装置２の制御部２０１は、はじめにストリームデータのうちの再生開始可能位置１からユニット１のサイズ分のデータ取得要求を行う（図３におけるＳ１０９）。ユニット１のサイズは、再生開始可能位置２と再生開始可能位置１の差から算出することが可能である。続いて制御部２０１は、再生開始可能位置２からユニット２のサイズ分、再生開始可能位置３からユニット３のサイズ分というように、順次データ取得要求を行う（図３におけるＳ１１１…）。
【００４３】
ユーザからの再生制御指示が特殊再生の場合、データ受信再生装置２の制御部２０１は、はじめにストリームデータのうちの再生開始可能位置１から再生データサイズ情報１のサイズ分のデータ取得要求を行う（図３におけるＳ１０９）。続いて制御部２０１は、再生開始可能位置３から再生データサイズ情報３のサイズ分、再生開始可能位置５から再生データサイズ情報５のサイズ分というように、順次データ取得要求を行う（図３におけるＳ１１１…）。
【００４４】
ストリームデータの取得要求を受信したデータ送信装置１は、指定されたストリームデータを制御部１０１により、記録再生部を１１０通じて記録媒体１１１から読み出す。制御部１０１は、読み出したストリームデータを、バッファ部１０２、送受信部１０６を通じて、データ受信再生装置２に送信する。
【００４５】
送受信部２０６より、ストリームデータを取得したデータ受信再生装置２は、取得したストリームデータのデコード処理を、信号処理部２０５で行い、デコードした画像、音声データを出力する。特殊再生の場合には、音声データが含まれていないため、音声データは出力しない。
【００４６】
次に、図７を参照しながら、データ送信装置１で記録中のストリームデータをデータ受信再生装置２で取得するために、実施する管理情報取得シーケンスを説明する。
【００４７】
データ受信再生装置２の制御部２０１は、取得対象のコンテンツが、記録中であるかどうかを取得したコンテンツ情報（図３のＳ１０３）により確認する（Ｓ２０１）。記録中でない場合（Ｓ２０１でＮｏ）には、制御部２０１は、管理情報を取得して（Ｓ２０８）、一時記憶部２０７に保持することで、管理情報取得シーケンスを終了する。その後、ユーザの再生制御指示に応じて上述の方法で、ストリームデータの取得要求をデータ送信装置１に対して行い、取得したストリームデータをデコードし出力する。
【００４８】
記録中の場合（Ｓ２０１でＹｅｓ）には、制御部２０１は、データ送信装置１に対して管理情報更新周期取得要求を行って、管理情報更新周期を取得する（図３のＳ１０５、Ｓ１０６、Ｓ２０２）。管理情報更新周期を取得したデータ受信再生装置２の制御部２０１は、続いて管理情報取得要求を行って、管理情報を取得する（図３のＳ１０７、Ｓ１０８、Ｓ２０３）。管理情報をデータ送信装置１より取得したデータ受信再生装置２の制御部２０１は、管理情報取得時間を記録する（Ｓ２０４）。その後、制御部２０１は、前回管理情報を取得した時間から、所定時間（Ｔｃ）が経過しているかの判定を行い（Ｓ２０５）、所定時間が経過している場合（Ｓ２０５でＹｅｓ）には、データ送信装置１に対して管理情報取得要求を再度行って、管理情報を取得する（図３のＳ１１３、Ｓ１１４、Ｓ２０６）。その後、管理情報取得時間を記録する（Ｓ２０７）。所定時間（Ｔｃ）は、管理情報更新周期と同じ値が設定される。
【００４９】
ユーザからの再生制御指示が継続されている場合には、Ｓ２０５からＳ２０７の処理を継続することで、データ送信装置１で管理情報更新周期ごとに更新される管理情報を取得、保持する。これにより、データ送信装置１で記録中のストリームデータをデータ受信再生装置２で取得して再生制御するような場合に、データ送信装置１の管理情報更新周期に応じて、データ受信再生装置２が管理情報の取得を行うことが可能となり、データ送信装置１で記録中のコンテンツの特殊再生が可能となる。また、データ送信装置１、データ受信再生装置２に無用な負荷をかけずに、また、ネットワークのトラフィックを無用に増加させることなく、これを実現することが可能となる。
【００５０】
（実施の形態２）
以下、本発明の実施の形態２について、図８から図９を用いて説明する。
【００５１】
図８は、実施の形態２のデータ受信再生装置２の処理フローの一例を示す図である。図９は、記録された管理情報更新周期情報を示す図である。
【００５２】
なお、実施の形態２と実施の形態１との違いは、管理情報更新周期取得に関わるシーケンスの違いだけであり、機器の構成、取り扱うストリームデータや管理情報の形式、またデータ受信再生装置２による再生制御方法は、実施の形態１と同様であるので説明を省略する。
【００５３】
図８を参照し、本実施の形態におけるデータ受信再生装置２の処理シーケンスを説明する。
【００５４】
データ受信再生装置２の制御部２０１は、取得対象のコンテンツが、記録中であるかどうかを取得したコンテンツ情報（図３のＳ１０３）により確認する（Ｓ３０１）。記録中でない場合（Ｓ３０１でＮｏ）には、制御部２０１は、管理情報を取得して（Ｓ３１０）、一時記憶部２０７に保持することで、管理情報取得シーケンスを終了する。その後、ユーザの再生制御指示に応じて実施の形態１に示した方法で、ストリームデータの取得要求をデータ送信装置１に対して行い、取得したストリームデータをデコードし出力する。
【００５５】
記録中の場合（Ｓ３０１でＹｅｓ）には、制御部２０１は、データ送信装置１の管理情報更新周期が不揮発メモリ２０８に記録されているかを確認する（Ｓ３０２）。
【００５６】
図９に記録された管理情報更新周期情報の一例を示す。機器毎の管理情報更新周期は、例えばＭＡＣアドレス等機器の固有情報と共に記録されている。不揮発メモリ２０８にデータ送信装置１の管理情報更新周期情報がない場合（Ｓ３０２でＮｏ）、データ受信再生装置２の制御部２０１は管理情報更新周期をデータ送信装置１から取得する（Ｓ３０３）。さらに、制御部２０１は、取得した管理情報更新周期をデータ送信装置１のＭＡＣアドレスと共に不揮発メモリ２０８に記録する（Ｓ３０４）。
【００５７】
データ送信装置１の管理情報が不揮発メモリ２０８に記録されている場合（Ｓ３０２でＹｅｓ）、あるいは、新たに管理情報更新周期を取得（Ｓ３０３）したデータ受信再生装置２は、続いて管理情報の取得を行う（図３のＳ１０７、Ｓ３０５）。管理情報をデータ送信装置１より取得したデータ受信再生装置２の制御部２０１は、管理情報取得時間を記録する（Ｓ３０６）。その後、制御部２０１は、前回管理情報を取得した時間から、所定時間（Ｔｃ）が経過しているかの判定を行い（Ｓ３０７）、所定時間が経過している場合（Ｓ３０７でＹｅｓ）には、データ送信装置１に対して管理情報の取得を行う（図３のＳ１１３、Ｓ３０８）。その後、管理情報取得時間を記録する（Ｓ３０９）。所定時間（Ｔｃ）は、管理情報更新周期と同じ値が設定される。
【００５８】
ユーザからの再生制御指示が継続されている場合には、実施の形態１と同様にＳ３０７からＳ３０９の処理を継続することで、データ送信装置１で管理情報更新周期ごとに更新される管理情報を取得、保持する。これにより、データ送信装置１で記録中のストリームデータをデータ受信再生装置２で取得して再生制御するような場合に、データ送信装置１の管理情報更新周期に応じて、データ受信再生装置２が管理情報の取得を行うことが可能となり、データ送信装置１で記録中のコンテンツの特殊再生が可能となる。データ送信装置１、データ受信再生装置２に無用な負荷をかけずに、また、ネットワークのトラフィックを無用に増加させることなく、これを実現することが可能となる。加えて、データ送信装置１から取得した管理情報更新周期を記録することにより、繰り返し、データ送信装置１で記録中のコンテンツのストリームデータを取得する際、より少ない通信シーケンスで上述の効果を得ることが可能となる。
【００５９】
なお、上記各実施の形態では、データ受信再生装置２からの管理情報取得周期をデータ送信装置１における管理情報更新周期と同じとしている。しかしながら、例えば、図１０に示すように再生開始可能位置ｎまでを含む管理情報取得しているにも関わらず、所定時間が経過した時点で再生開始可能位置３のデータを再生しており、またその時点の再生制御動作から再生開始可能位置ｎに到達するまでに十分な時間がある場合、管理情報の取得をスキップさせてもよい。この場合、図７のＳ２０５および図８のＳ３０７の条件に、取得済み管理情報の終端到達までの時間が予め設定された時間より短くなっているかの条件を併せてチェックするようにすれば良い。これにより、より少ない管理情報の取得で、同様の効果を得ることが可能となる。
【００６０】
また、上記各実施の形態では、ユーザからの再生指示が継続されている場合には、図７におけるＳ２０５からＳ２０７、および図８のＳ３０７からＳ３０９の処理を継続するとしているが、繰り返し取得した管理情報に変化がない場合には、データ送信装置１から取得したストリームデータの記録動作が終了したと判断して、図７および図８に示す処理を終了させても良い。
【００６１】
また、上記各実施の形態では、データ送信装置１で記録中のストリームデータの管理情報更新周期を、データ受信再生装置２が管理情報更新周期取得要求をデータ送信装置１に送信することで取得しているが、これに限定されるものではない。例えば、コンテンツ情報に、記録中であることを示す情報と併せて、管理情報更新周期を含むことにより、データ受信再生装置２に管理情報更新周期を取得させてもよい。あるいは、データ受信再生装置２が取得する管理情報の中に、管理情報更新周期を含むようにしても良い。この方法をとれば、例えばデータ送信装置１の記録が途中で停止した場合、データ受信再生装置２で取得した管理情報の中に管理情報更新周期の代わりに管理情報の更新が終了したことを示す情報を示すことにより、この情報を基に、図７および図８に示す処理を停止さることも可能となる。
【産業上の利用可能性】
【００６２】
本発明に係るデータ受信再生装置およびデータ受信再生システムは、データ送信装置で記録中のストリームデータを、データ受信再生装置で取得し、特殊再生する場合に利用可能であり、例えばＤＶＲ、セットトップボックス（親機）、またはサーバ等と、例えば家庭内のＬＡＮやインターネット等を介して接続されている例えばＴＶやセットトップボックス（子機）等において有用である。
【図面の簡単な説明】
【００６３】
【図１】本発明の実施の形態に係るデータ送信装置とデータ受信再生装置とを備えるデータ受信再生システムの具体構成の一例を示すブロック図である。
【図２】データ受信再生システムが家庭において用いられた具体例を示す図である。
【図３】実施の形態の通信シーケンスを説明した図である。
【図４】実施の形態のストリームデータのフォーマット、管理情報のフォーマットの一例を示す図である。
【図５】実施の形態のビデオストリームデータの構成の一例を示す図である。
【図６】実施の形態のストリームデータ取得要求の一例を示す図である。
【図７】実施の形態の処理フローを示す図である。
【図８】実施の形態の処理フローを示す図である。
【図９】実施の形態の記録した更新周期情報の一例を示す図である。
【図１０】実施の形態の再生位置と管理情報の関係を示す図である。
【図１１】従来の通信システムの通信シーケンスを示す図である。
【符号の説明】
【００６４】
１  データ送信装置
２  データ受信再生装置
３  ネットワーク
５  ストリームデータ
６  管理情報
７  データ送信装置
８  データ受信再生装置
１０１、２０１  制御部
１０２、２０２  バッファ部
１０３、２０３  アンテナ
１０４、２０４  放送受信部
１０５、２０５  信号処理部
１０６、２０６  送受信部
１０７、２０７  一時記憶部
１０８、２０８  不揮発メモリ
１０９、２０９  操作入力部
１１０  記録再生部
１１１  記録媒体
２１０  映像表示部
２１１  音声出力部
【図１】
2008301375.tif 000003
【図２】
2008301375.tif 000004
【図３】
2008301375.tif 000005
【図４】
2008301375.tif 000006
【図５】
2008301375.tif 000007
【図６】
2008301375.tif 000008
【図７】
2008301375.tif 000009
【図８】
2008301375.tif 000010
【図９】
2008301375.tif 000011
【図１０】
2008301375.tif 000012
【図１１】
2008301375.tif 000013